(57)【要約】【課題】  巻乱れを抑制することができるホースリールを提供する。【解決手段】  ホースリール１のフレームを本体ケース１１で構成し、本体ケース１１内に、ホースを巻き取るドラムを回動自在に支持する。本体ケース１１の上部容器１３の前面３１であって、ドラムに巻き取られるホースの移動経路上に、ホースを案内するガイド部３２を設ける。ガイド部３２は、ホースが挿通する出入口３３を備え、出入口３３の上部開口縁で、ホースの上方への逃げを阻止する上方規制部３４を構成する。上方規制部３４は、巻き取られるホースの移動方向Ｉと交差する方向に延在し、中央部が上方へ向けて突出したアーチ状を成す。【選択図】        図１
2004299905.tif 000002
【特許請求の範囲】
【請求項１】
ドラムを回動してホースを巻き取るホースリールにおいて、
前記ドラムに巻き取られるホースの移動経路上に、該ホースを案内する案内部を設け、該案内部の幅寸法を上方へ向かうに従って小さくなるように設定したことを特徴とするホースリール。
【請求項２】
ドラムを回動してホースを巻き取るホースリールにおいて、
前記ドラムに巻き取られるホースの移動経路上に、該ホースを案内するガイド部を設け、該ガイド部に、前記ホースの逃げを阻止する規制部を巻き取られる前記ホースの移動方向と交差する方向に延設するとともに、前記規制部に、上方へ向かうに従って中央部側へ傾斜した傾斜部を設定し、該傾斜部での傾斜角を４５度以上９０度未満に設定したことを特徴とするホースリール。
【請求項３】
ドラムを回動してホースを巻き取るホースリールにおいて、
前記ドラムに巻き取られるホースの移動経路上に、該ホースを案内するガイド部を設け、
該ガイド部に、前記ホースの逃げを阻止する規制部を巻き取られる前記ホースの移動方向と交差する方向に延設するとともに、前記規制部を、中央部が突出するアーチ状に形成したことを特徴とするホースリール。
【請求項４】
前記ガイド部に前記ホースが挿通する開口部を設け、該開口部の上部開口縁に前記規制部を設定するとともに、前記開口部の下部開口縁を直線状に形成したことを特徴とする請求項３記載のホースリール。
【請求項５】
前記ドラムをフレームで支持するとともに、前記ガイド部を、前記フレームに設けられたバーで構成したことを特徴とする請求項３記載のホースリール。
【請求項６】
ドラムを回動してホースを巻き取るホースリールにおいて、
前記ドラムに巻き取られるホースの移動経路上に、該ホースが挿通する開口部を有したガイド部を設け、前記開口部の開口縁部に、一般部より厚肉の厚肉部を設けたことを特徴とするホースリール。
【請求項７】
ドラムを回動してホースを巻き取るホースリールにおいて、
前記ドラムに巻き取られるホースの移動経路上に、該ホースが挿通する開口部を有したガイド部を設け、前記開口部の開口縁部の断面形状を、前記開口部の中心へ向けて突出する円弧状に形成したことを特徴とするホースリール。
【請求項８】
ドラムを回動してホースを巻き取るホースリールにおいて、
前記ドラムに巻き取られるホースの移動経路上に、該ホースに接して当該ホースの移動を促す方向に回転する回転部材を設けたことを特徴とするホースリール。
【請求項９】
前記ホースの外周面に凹凸を設けたことを特徴とする請求項１から８にいずれか記載のホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた（例えば、特許文献１及び特許文献２参照。）。
【０００３】
このホースリールは、フレームと、該フレームに回動自在に支持されたドラムとによって構成されている。前記フレームは、対向して設けられた三角形状の側板からなり、両側板は離間して連結されている。この側板の一方からは、蛇口側ホースを接続する接続プラグが延出されており、他方からは、前記ドラムを回転操作するハンドルが延出されている。
【０００４】
これにより、このハンドルを回転操作することによって、ホースをドラムに巻き取って保持できるように構成されている。
【特許文献１】特開平２００１−２０６６３７号公報（図１）
【特許文献２】特開平２００１−２０６６３８号公報（図１）
【発明の開示】
【発明が解決しようとする課題】
【０００５】
しかしながら、このようなホースリールにあっては、フレームを構成する側板が離間して設けられており、ホース巻取り方向が開放されている。このため、ドラムに巻き取られるホースに巻乱れが生じ易かった。
【０００６】
本発明は、このような従来の課題に鑑みてなされたものであり、巻乱れを抑制することができるホースリールを提供することを目的とするものである。
【課題を解決するための手段】
【０００７】
前記課題を解決するために本発明の請求項１のホースリールにあっては、ドラムを回動してホースを巻き取るホースリールにおいて、前記ドラムに巻き取られるホースの移動経路上に、該ホースを案内する案内部を設け、該案内部の幅寸法を上方へ向かうに従って小さくなるように設定した。
【０００８】
すなわち、ドラムを回動してホースを巻き取る際には、ホースがドラムの端部に集中することがある。しかし、ホースの移動経路上には、ホースを案内する案内部が設けられており、該案内部の幅寸法は、上方へ向かうに従って小さくなるように設定されている。
【０００９】
このため、ドラムの端部に集中して巻き付けられたホースは、所定量積層された時点で、前記案内部に沿って中心側へ案内される。
【００１０】
また、本発明の請求項２のホースリールでは、ドラムを回動してホースを巻き取るホースリールにおいて、前記ドラムに巻き取られるホースの移動経路上に、該ホースを案内するガイド部を設け、該ガイド部に、前記ホースの逃げを阻止する規制部を巻き取られる前記ホースの移動方向と交差する方向に延設するとともに、前記規制部に、上方へ向かうに従って中央部側へ傾斜した傾斜部を設定し、該傾斜部での傾斜角を４５度以上９０度未満に設定した。
【００１１】
すなわち、ドラムを回動してホースを巻き取る際には、ホースがドラムの端部に集中することがある。しかし、ホースの移動経路上には、ホースを案内するガイド部が設けられており、該ガイド部に設定された規制部には、上方へ向かうに従って中央部側へ傾斜した傾斜部を設定されている。
【００１２】
このため、ドラムの端部に集中して巻き付けられたホースは、所定量積層された時点で、前記傾斜部によって中心側へ案内される。
【００１３】
このとき、この傾斜部に当接したホースには、下方へ向けた分力と水平方向への分力とが生じるが、当該傾斜部の傾斜角は、４５度以上９０度未満に設定されている。このため、水平方向の分力が、下方へ向けた分力以上となり、所定量積層されたホースを中央部側へ案内する力は、ホースを下方へ押圧する力以上となる。
【００１４】
さらに、本発明の請求項３のホースリールにあっては、ドラムを回動してホースを巻き取るホースリールにおいて、前記ドラムに巻き取られるホースの移動経路上に、該ホースを案内するガイド部を設け、該ガイド部に、前記ホースの逃げを阻止する規制部を巻き取られる前記ホースの移動方向と交差する方向に延設するとともに、前記規制部を、中央部が突出するアーチ状に形成した。
【００１５】
すなわち、ドラムを回動してホースを巻き取る際に、ホースがドラムの端部に集中することがある。しかし、ホースの移動経路上には、ホースを案内するガイド部が設けられており、該ガイド部に設定された規制部は、中央部が突出するアーチ状に形成されている。
【００１６】
このため、ドラムの端部に集中して巻き付けられたホースは、所定量積層された際に、アーチ状の規制部に沿って中心側へ案内される。
【００１７】
また、請求項４のホースリールにおいては、前記ガイド部に前記ホースが挿通する開口部を設け、該開口部の上部開口縁に前記規制部を設定するとともに、前記開口部の下部開口縁を直線状に形成した。
【００１８】
すなわち、空ドラムへのホースの巻付けを開始した時点では、移動されるホースは、ガイド部における開口部の下部開口縁に沿って案内される。このとき、この下部開口縁は、直線状に形成されている。このため、ホースは、ドラム全域に渡って分散して巻き取られる。
【００１９】
そして、ホースが所定量ドラムに巻き付けられた際には、ガイド部における開口部の上部開口縁が構成する前記規制部に沿って案内される。
【００２０】
さらに、請求項５のホースリールでは、前記ドラムをフレームで支持するとともに、前記ガイド部を、前記フレームに設けられたバーで構成した。
【００２１】
これにより、構成の簡素化が図られる。
【００２２】
また、本発明の請求項６のホースリールにあっては、ドラムを回動してホースを巻き取るホースリールにおいて、前記ドラムに巻き取られるホースの移動経路上に、該ホースが挿通する開口部を有したガイド部を設け、前記開口部の開口縁部に、一般部より厚肉の厚肉部を設けた。
【００２３】
すなわち、ドラムに巻き取られるホースは、ガイド部に設けられた開口部を挿通し、この開口部の開口縁に摺接することで所定位置に案内される。
【００２４】
このとき、前記開口部の開口縁部には、一般部より厚肉の厚肉部が設定されている。このため、開口縁部が薄肉に形成された場合と比較して、不用意なホースの折れ曲がりが防止される。
【００２５】
さらに、本発明の請求項７のホースリールでは、ドラムを回動してホースを巻き取るホースリールにおいて、前記ドラムに巻き取られるホースの移動経路上に、該ホースが挿通する開口部を有したガイド部を設け、前記開口部の開口縁部の断面形状を、前記開口部の中心へ向けて突出する円弧状に形成した。
【００２６】
すなわち、ドラムに巻き取られるホースは、ガイド部に設けられた開口部を挿通し、この開口部の開口縁に摺接することで所定位置に案内される。
【００２７】
このとき、前記開口部の開口縁部は、その断面形状が開口部の中心へ向けて突出する円弧状に形成されている。このため、摺接するホースとの接触面積が減少する。
【００２８】
加えて、請求項８のホースリールにあっては、ドラムを回動してホースを巻き取るホースリールにおいて、前記ドラムに巻き取られるホースの移動経路上に、該ホースに接して当該ホースの移動を促す方向に回転する回転部材を設けた。
【００２９】
すなわち、ドラムに巻き取られるホースは、ホースの移動経路上に設けられた回転部材に接する。このとき、この回転部材は、ホースに接して当該ホースの移動を促す方向に回転する。これにより、前記ホースは、前記回転部材によってドラムに案内される。
【００３０】
そして、請求項８のホースリールにおいては、前記ホースの外周面に凹凸を設けた。
【００３１】
すなわち、ホース巻取り時において、ホースの外周面は、ドラム内面やフレーム内面などに摺接し摩擦が生じる。しかし、このホースの外周面には、凹凸が設けられていので、摺接箇所への摩擦抵抗が低減される。これにより、前記ドラムへのホースの巻取りが、さらにスムーズに行われ、巻乱れが防止される。
【発明の効果】
【００３２】
以上説明したように、本発明の請求項１のホースリールにあっては、ホースがドラムの端部に集中して巻き付けられる場合であっても、所定量積層された時点で、上方へ向かうに従って幅寸法が小さくなる案内部によって中心側へ案内することができる。
【００３３】
したがって、ホースがドラムの端部に集中して巻き取られるといった巻乱れを防止することができ、ホース巻取り状態での外観品質を高めることができるとともに、巻乱れによって生じ得る重心の偏りを防止することができる。
【００３４】
また、本発明の請求項２のホースリールにおいても、ホースがドラムの端部に集中して巻き付けられる場合であっても、所定量積層された時点で、規制部に設定された傾斜部によって中心側へ案内することができる。
【００３５】
したがって、ホースがドラムの端部に集中して巻き取られるといった巻乱れを防止することができ、ホース巻取り状態での外観品質を高めることができるとともに、巻乱れによって生じ得る重心の偏りを防止することができる。
【００３６】
このとき、この傾斜部に当接したホースには、下方へ向けた分力と水平方向への分力とが生じるが、当該傾斜部の傾斜角は、４５度以上９０度未満に設定されている。このため、水平方向の分力が下方へ向けた分力以上となり、所定量積層されたホースを中央部側へ案内する力を、下方へ押圧する力以上とすることができる。
【００３７】
したがって、所定量積層されたホースが上方から押し潰された状態の挟み込みを防止することができる。
【００３８】
さらに、本発明の請求項３のホースリールにあっては、ホースがドラムの端部に集中して巻き付けられる場合であっても、所定量積層された時点でアーチ状の規制部に沿って中心側へ案内することができる。
【００３９】
したがって、ホースがドラムの端部に集中して巻き取られるといった巻乱れを防止することができ、ホース巻取り状態での外観品質を高めることができるとともに、巻乱れによって生じ得る重心の偏りを防止することができる。
【００４０】
また、請求項４のホースリールでは、空ドラムへのホースの巻付けを開始した時点において、移動されるホースをガイド部における開口部の下部開口縁に沿って案内することができる。このとき、この下部開口縁は、直線状に形成されている。このため、前記ガイド部で案内される前記ホースを、ドラムの全域に渡って分散して巻き取ることができ、巻取り開始時の巻乱れを防止することができる。
【００４１】
そして、ホースが所定量ドラムに巻き付けられた際には、ガイド部における開口部の上部開口縁が構成する前記規制部に沿って案内することができる。これにより、前述と同様の効果を得ることができる。
【００４２】
さらに、請求項５のホースリールでは、前記ドラムをフレームで支持し、このフレームにバーを設けることによってガイド部を構成することができる。
【００４３】
これにより、構成の簡素化を図ることができる。
【００４４】
加えて、本発明の請求項６のホースリールにあっては、ドラムに巻き取られるホースをガイド部の開口部へ挿通することで、当該ホースを、この開口部の開口縁に摺接させ、所定位置に案内することができる。
【００４５】
したがって、ドラムに巻き取られるホースが案内されない場合と比較して、ホースの巻乱れを防止することができ、巻取り状態での外観品質の向上を図ることができるとともに、巻乱れによって生じ得る重心の偏りを防止することができる。
【００４６】
このとき、前記開口部の開口縁部には、一般部より厚肉の厚肉部が設定されている。このため、開口縁部が薄肉に形成された場合と比較して、不用意なホースの折れ曲がりを防止することができ、巻き易さの向上を図ることができる。
【００４７】
また、本発明の請求項７のホースリールでは、ドラムに巻き取られるホースをガイド部の開口部へ挿通することで、当該ホースを、この開口部の開口縁に摺接させることで、所定位置に案内することができる。
【００４８】
したがって、ドラムに巻き取られるホースが案内されない場合と比較して、ホースの巻乱れを防止することができ、巻取り状態での外観品質の向上を図ることができるとともに、巻乱れによって生じ得る重心の偏りを防止することができる。
【００４９】
このとき、前記開口部の開口縁部は、その断面形状が開口部の中心へ向けて突出する円弧状に形成されている。このため、摺接するホースとの接触面積を減少することができ、巻取り時に生じる摩擦抵抗を押さえることができる。よって、ホースの巻取りを容易とすることができる。
【００５０】
さらに、請求項８のホースリールにあっては、ドラムに巻き取られるホースを、ホースに接して回転する回転部材によってドラムに案内することができる。
【００５１】
したがって、ドラムに巻き取られるホースが案内されない場合と比較して、ホースの巻乱れを防止することができ、巻取り状態での外観品質の向上を図ることができるとともに、巻乱れによって生じ得る重心の偏りを防止することができる。
【００５２】
このとき、前記回転部材は、前記ホースの移動を促す方向に回転する。このため、この回転部材に接するホースとの摺接抵抗を押さえることができ、ホースの巻取りを容易とすることができる。
【００５３】
そして、請求項９のホースリールにおいては、前記ホースの外周面に凹凸を設けることによって、ホース巻取り時において、ホース外周面と摺接箇所との摩擦抵抗を低減することができる。これにより、ホースと摺接する部位とに大きな摩擦抵抗が生ずる場合と比較して、ドラムへのホースの巻乱れを防止することができる。
【００５４】
また、前記ドラムへのホースの巻取りをスムーズに行うことができ、ドラム回動時の操作力を小さくすることができるとともに、巻取り作業を容易とすることができる。
【発明を実施するための最良の形態】
【００５５】
（第１の実施の形態）
【００５６】
以下、本発明の第１の実施の形態を図に従って説明する。図１は、本実施の形態にかかるホースリール１を示す図であり、該ホースリール１は、散水用のホースを巻き取る際に使用されるものである。
【００５７】
このホースリール１は、フレームを構成する矩形状の本体ケース１１を備えてなり、該本体ケース１１は、図２にも示すように、上方に開口した容器状の下部容器１２と、下方に開口した容器状の上部容器１３とが結合され形成されている。この本体ケース１１内には、図３に示すように、ホース１４を巻き取る為のドラム１５が収容されており、該ドラム１５は、ホース挿通穴１６を貫通したホース１４が巻かれる円筒状の胴部１７と、該胴部１７の両端部に設けられた鍔部１８，１８とによって構成されている。
【００５８】
前記上部容器１３の天面２１は、図１及び図４に示すように、矩形状に形成されており、平坦に形成されている。また、当該天面２１は、他のホースリールの本体ケース１１を積載できる広さに設定されており、積載部を構成している。
【００５９】
この天面２１には、コ字状に没入した凹部２２が形成されており、該凹部２２内には、コ字状の取っ手２３が配設されている。該取っ手２３は、自由端部を構成する握持部２４と、該握持部２４の両端から延出した延出部２５，２５とによってコ字状に形成されており、図５に示すように、両延出部２５，２５の先端に設けられた回動軸２６，２６を介して、前記上部容器１３に回動自在に支持されている。これにより、前記取っ手２３を、前記凹部２２内に収容した傾倒状態２７と起立した起立状態２８との間で回動できるように構成されている。
【００６０】
この取っ手２３の前記延出部２５，２５は、前記起立状態２８において、前記凹部２２の上縁部が構成する当接部２９に当接して回動が規制されるように構成されており、該当接部２９は、前方側に傾斜した傾斜面によって構成されている。この起立状態２８において、前記取っ手２３が前記傾倒状態２７から９０度を超えた所定角α、具体的には１０９度傾斜した状態で回動規制されるように構成されている。これにより、傾倒状態２７の取っ手２３を起立状態２８へ移行する際には、前記取っ手２３の自由端部を構成する前記握持部２４が前記回動軸２６が構成する回動中心上部を通過した後、前記延出部２５，２５が前記当接部２９に当接した状態で前方側に傾斜して停止するように構成されている。
【００６１】
前記上部容器１３の前面３１であって、前記ドラム１５に巻き取られるホース１４の移動経路上には、図６にも示すように、該ホース１４を案内するガイド部３２が設けられている。該ガイド部３２は、前記ホース１４が挿通する開口部としての出入口３３を備えてなり、該出入口３３の上部開口縁は、前記ホース１４の上方への逃げを阻止する上方規制部３４を構成している。該上方規制部３４は、巻き取られる前記ホース１４の移動方向Ｉと交差する方向に延在しており（図１参照）、当該上方規制部３４は、中央部が上方へ向けて突出したアーチ状に形成されている。
【００６２】
なお、本実施の形態にあっては、前記前面３１に前記出入口３３が形成されることにより本発明の案内部が構成されているが、この案内部は、板状部材の下縁に下方へ向けて開口した切り欠き設けて形成しても、山型や台形状に形成されたパイプで構成しても良い。
【００６３】
これにより、前記上方規制部３４は、当該上方規制部３４で形成される下側のホース通路の幅寸法Ｗが、上方へ向かうに従って小さくなるように設定されている。
【００６４】
なお、前記上方規制部３４が出入口３３の上部開口縁によって形成された場合を例に挙げて説明したが、これに限定されるものでは無く、例えば長尺状の部材をアーチ状に湾曲したもので構成しても良い。
【００６５】
また、前記出入口３３の下部開口縁が開放されたものであっても良い。
【００６６】
この上方規制部３４には、図５に示したように、その全域に渡って庇部３５が形成されており、該庇部３５は、本体ケース１１の外側へ向けて突出している。当該上方規制部３４において、最も高い部位での高さ位置は、前記本体ケース１１に支持された前記ドラム１５の鍔部１８で最も高い部位より低くなるように設定されており、前記上方規制部３４で最も高い部位と前記鍔部１８で最も高い部位との間には、ホース巻取り時の余裕代Ｙが設定されている。
【００６７】
前記出入口３３の下部開口縁は、図６に示したように、直線状に形成されており、前記ホース１４の横方向への移動を自在とする下方規制部３６を構成している。これにより、前記出入口３３は、円弧部分が上方に位置した半円形状に形成されている。
【００６８】
前記出入口３３の開口縁部を構成する前記下方規制部３６は、図５に示したように、一般部３７より厚肉に形成されており、厚肉部３８を構成している。この厚肉部３８での断面形状は、前記出入口３３の中心へ向けて突出する円弧状に形成されており、当該出入口３３を移動するホース１４が線接触するように構成されている。
【００６９】
この上部容器１３の左右側面４１，４２の下端と前記下部容器１２の左右側面４３，４４の上端との接合部分には、図１及び図６に示したように、両者を接合した状態で円形を成す側方に膨出した膨出部４５，４５が形成されており、両膨出部４５，４５間には、図３に示したように、前記ドラム１５の鍔部１８，１８から突出した胴部１７の端部が回動自在に支持されている。これら膨出部４５，４５の中央には、円形穴４６，４６が設けられており、左方に設けられた前記膨出部４５の円形穴４６には、前記ドラム１５を回動する為のクランク状のハンドル４７の軸４８が挿通している。
【００７０】
また、右方に設けられた前記膨出部４５の円形穴４６には、蛇口側のホースが接続される接続プラグ５１が挿通されており、該接続プラグ５１には、ドラム１５に巻かれたホース１４が接続されるパイプ部材５２の一端が接続されている。これにより、蛇口からの水道水を、前記接続プラグ５１を介して前記パイプ部材５２へ供給するとともに、該パイプ部材５２を介してドラム１５に巻かれた散水側のホース１４に供給できるように構成されている。
【００７１】
前記下部容器１２の底面６１には、図７にも示すように、矩形状の底面開口部６２が開設されており、本体ケース１１は、この底面開口部６２を介して外部に連通している。
【００７２】
また、前記底面６１には、横長の脚固定部材６５，６５が前面側及び後面側の各縁部に沿ってネジ止めされている。両脚固定部材６５，６５の両端部には、図８にも示すように、十字状の軸部６６，６６が互いに対向する方向へ突設されており、対向した軸部６６，６６には、同形状に形成された脚部６７，６７が回動自在に支持されている。
【００７３】
この脚部６７の両端部には、前記軸部６６，６６に外嵌する円筒部７１，７１が基端部７２に形成されており、この円筒部７１には、先端へ向けて延出する上面部７３が一体形成されている。前記両脚部６７，６７は、前記円筒部７１，７１を中心に回動することによって、図９に示すように、両脚部６７，６７の先端が前記本体ケース１１の下部に配置され両脚部６７，６７が前記底面開口部６２の下部に配置された折り畳み状態７４と、図１に示したように、両脚部６７，６７の先端が本体ケース１１より側方へ延出し、かつ前記本体ケース１１の底面６１に当接して（図８参照）回動が規制された展開状態７５とを任意に形成できるように構成されている。
【００７４】
これにより、展開状態７５において、本体ケース１１の起立状態の安定化を図れるように構成されており、前記折り畳み状態７４にあっては、底面６１に開設された前記底面開口部６２を前記脚部６７，６７によって閉鎖できるように構成されている。
【００７５】
前記上面部７３は、一方の脚部６７を他方の脚部６７に先行して折り畳んで図９に示した折り畳み状態７４を形成した際に、両脚部６７，６７の基端部７２，７２より先端側が重なる長さに形成されており、その裏面には、複数のリブ８１，・・・と、その両側縁から延出したフランジ８２，８２とが一体形成されている。このフランジ８２，８２及び前記リブ８１，・・・の高さ寸法は、図８にも示したように、基端部７２から先端へ向かうに従って低くなるように設定されており、各脚部６７の厚み寸法は、前記本体ケース１１に軸支された基端部７２から先端へ向かうに従って薄肉になるように設定されている。
【００７６】
さらに、両脚部６７，６７は、図９に示したように、前記折り畳み状態７４にて重なり合う全域での厚み寸法の和が、両脚部６７，６７で最も厚い基端部７２での厚み寸法以下となるように、前記重合部８３での厚み寸法が設定されており、前記折り畳み状態７４において、両脚部６７，６７が、前記脚部固定部材６５の下面より上方に位置するように構成されている。
【００７７】
そして、図５に示したように、前記本体ケース１１の下部容器１２の内側面９１には、二本のリブ９２，９２が底面６１から上部開口部へ向けて延設されており、前記本体ケース１１の上部容器１３の内側面９３にも、二本のリブ９４，９４が天面２１から下部開口部へ向けて延設されている。つまり、これらのリブ９２，９２，９４，９４は、前記各容器１２，１３を樹脂成形する際の型抜き方向に延設されている。
【００７８】
各リブ９２，９２，９４，９４の高さ寸法Ｈは、図３に示したように、各内側面９１，９３から前記ドラム１５の鍔部１８までの離間距離Ｒ以上に設定されており、図５に示したように、各リブ９２，９２，９４，９４の長さ寸法は、その先端が前記鍔部１８に近接する長さに設定されている。
【００７９】
以上の構成にかかる本実施の形態において、ハンドル４７でドラム１５を回動してホース１４を巻き取る際に、ホース１４がドラム１５の端部、すなわち一方の鍔部１８側に集中することがある。しかし、ホース１４の移動経路上には、ホース１４を案内するガイド部３２が設けられており、該ガイド部３２に設定された上方規制部３４は、中央部が上方へ向けて突出するアーチ状に形成されている。つまり、前記上方規制部３４の下部に形成されるホース１４の通路の幅寸法Ｗは、上方へ向かうに従って小さくなるように設定されている。
【００８０】
このため、ドラム１５の端部に集中して巻き付けられたホース１４が所定の高さに達した際に、該ホース１４を、上方へ向かうに従って幅寸法Ｗが小さくなるアーチ状の上方規制部３４に沿って中心側へ案内することができる。
【００８１】
したがって、ホース１４がドラム１５の端部に集中して巻き取られるといった巻乱れを防止することができ、ホース巻取り状態での外観品質を高めることができるとともに、重心の偏りを防止することができる。
【００８２】
一方、ホース１４が巻かれていない空のドラム１５へのホース１４の巻付けを開始した時点において、このホース１４を、前記ガイド部３２における出入口３３の下部開口縁が構成する下方規制部３６に沿って案内することができる。
【００８３】
このとき、この下方規制部３６は、直線状に形成されており、当該下方規制部３６に摺接して案内されるホース１４の横方向への移動を自在とし、当該ホース１４をドラム１５の全域に渡って分散して巻き取ることができる。これにより、巻取り開始時の巻乱れを防止することができる。
【００８４】
そして、ホース１４が所定量ドラム１５に巻き付けられた時点からは、前記ホース１４を、ガイド部３２における出入口３３の上部開口縁が構成する前記上方規制部３４に沿って案内することができる。これにより、前述した効果を得ることができる。
【００８５】
このように、前記出入口３３を挿通する前記ホース１４を、この出入口３３の開口縁に摺接させることによって、所定位置に案内することができる。したがって、ドラム１５に巻き取られるホース１４が案内されない場合と比較して、ホース１４の巻乱れを防止することができ、巻取り状態での外観品質の向上を図ることができるとともに、巻乱れによって生じ得る重心の偏りを防止することができる。
【００８６】
このとき、前記出入口３３の開口縁部を構成する下方規制部３６は、一般部３７より厚肉の厚肉部３８が設定されている。このため、開口縁部が薄肉に形成された場合と比較して、不用意なホース１４の折れ曲がりを防止することができ、巻き易さの向上を図ることができる。
【００８７】
さらに、前記下方規制部３６の前記厚肉部３８は、その断面形状が出入口３３の中心へ向けて突出する円弧状に形成されている。このため、摺接するホース１４との接触面積を減少することができ、巻取り時に生じる摩擦抵抗を押さえることができる。よって、ホース１４の巻取りを容易とすることができる。
【００８８】
（第２の実施の形態）
【００８９】
図１０は、第２の実施の形態を示す図であり、前述した実施の形態と同一又は同等の部分については、同符号を付して説明を割愛する。
【００９０】
すなわち、直線状に形成された出入口３３の下部開口縁には、円柱状の回転部材としてのコロ１０１が設けられている。このコロ１０１は、両端から延出した軸部１０２が、庇部３５の両下端に挿入された状態で回動自在に支持されており、出入口３３を挿通して移動するホース１４に接した際に、当該ホース１４の移動を促す方向に回転するように構成されている。
【００９１】
これにより、ドラム１５に巻き取られるホース１４は、ホース１４の移動経路上に設けられたコロ１０１に接する。このとき、このコロ１０１は、ホース１４に接して当該ホース１４の移動を促す方向に回転する。これにより、前記ホース１４を、前記コロ１０１によってドラム１５に案内することができる。
【００９２】
したがって、ドラム１５に巻き取られるホース１４が案内されない場合と比較して、ホース１４の巻乱れを防止することができ、巻取り状態での外観品質の向上を図ることができるとともに、巻乱れによって生じ得る重心の偏りを防止することができる。
【００９３】
このとき、前記コロ１０１は、前記ホース１４の移動を促す方向に回転する。このため、このコロ１０１に接するホース１４との摺接抵抗を押さえることができ、ホース１４の巻取りを容易とすることができる。
【００９４】
なお、本実施の形態では、出入口３３の下部開口縁に、コロ１０１を設けた場合を例に挙げて説明したが、これに限定されるものでは無く、ローラ等の他の回転部材を設けても、前述と同様の効果を得ることができる。
【００９５】
（第３の実施の形態）
【００９６】
以下、本発明の第３の実施の形態を図に従って説明する。図１１は、本実施の形態にかかるホースリール２０１を示す図であり、該ホースリール２０１は、散水用のホース２０２を巻き取る際に使用されるものである。
【００９７】
このホースリール２０１のフレーム２１２は、円板状の側部２１３と、両側部２１３間に設けられた脚部２１４，２１４とを備えてなり、前記両側部２１３間には、ホース２０２を巻き取る為のドラム２１５が回動自在に支持されている。前記両側部２１３には、パイプ材がコ字状に形成されてなる取っ手２１６の基端が固定されており、この取っ手２１６によって当該ホースリール２０１を持ち運びできるように構成されている。
【００９８】
また、前記両側部２１３には、前記ドラム２１５に巻き取られるホース２０２を案内するガイド部としてのガイドバー２２１の端部が固定されており、該ガイドバー２２１は、パイプ材がＵ字状に形成されてなる。このガイドバー２２１と前記取っ手２１６とは、連設バー２２２で連設されており、前記取っ手２１６に対する前記ガイドバー２２１の傾斜角が維持されている。
【００９９】
このガイドバー２２１の先端部は、前記ドラム２１５に巻き取られるホース２０２の移動経路上に設けられ、巻き取られるホース２０２の移動方向と交差する方向に延在して、前記ホース２０２の逃げを阻止する規制部２３１を構成している。そして、この規制部２３１は、中央部が突出するアーチ状に形成されている。
【０１００】
前記ドラム２１５は、ホース２０２が巻かれる円筒状の胴部２４１と、該胴部２４１の両端部に設けられた鍔部２４２とによって構成されており、その端部が前記フレーム２１２の両側部２１３間に挟まれた状態で回動自在に支持されている。
【０１０１】
一方、前記ホース２０２は、図１２に示すように、内側に設けられた内環状部材２５１と、該内環状部材２５１の外側に設けられた外環状部材２５２とによって構成されており、前記内環状部材２５１の外周面には、糸が斜めに交差して編まれた網状部２５３と、長さ方向に延在する縦糸２５４，・・・とからなるブレード２５５が設けられている。前記網状部２５３は、互いに交差する第１の斜め糸２５６，・・・と、第２の斜め糸２５７，・・・とによって構成されている。
【０１０２】
前記外環状部材２５２の外周面２６１には、長さ方向に延在する凸条２６２，・・・と凹溝２６３，・・・とが交互に形成されており、長さ方向に延在する筋状の凹凸が形成されている。
【０１０３】
なお、前記外周面２６１への凹凸の形成方法は、これに限定されるものでは無く、例えば点状の凸部を設けて構成しても良い。
【０１０４】
また、このホース２０２は、前述及び後述する総ての実施の形態で使用されているものとする。
【０１０５】
以上の構成にかかる本実施の形態において、ハンドル４７でドラム２１２を回動してホース２０２を巻き取る際に、ホース２０２がドラム２１５の端部、すなわち一方の鍔部２４２側に集中することがある。しかし、ホース２０２の移動経路上には、ホース２０２を案内するガイドバー２２１が設けられており、該ガイドバー２２１に設けられた規制部２３１は、中央部が上方へ向けて突出するアーチ状に形成されている。
【０１０６】
このため、ドラム２１５の端部に集中して巻き付けられたホース２０２が所定の高さに達した際に、該ホース２０２を、アーチ状の規制部２３１に沿って中心側へ案内することができる。
【０１０７】
したがって、ホース２０２がドラム２１５の端部に集中して巻き取られるといった巻乱れを防止することができ、ホース巻取り状態での外観品質を高めることができるとともに、重心の偏りを防止することができる。
【０１０８】
そして、ホース巻取り時において、前記ホース２０２の外周面２６１は、ドラム２１５内面やフレーム２１２内面などに摺接し摩擦が生じ得る。しかし、このホース２０２の外周面２６１には、長さ方向に延在する凸条２６２，・・・と凹溝２６３，・・・とによって筋状の凹凸が形成されており、摺接箇所への摩擦抵抗を低減することができる。
【０１０９】
これにより、ホース２０２と摺接する部位とに大きな摩擦抵抗が生ずる場合と比較して、ドラム２１５へのホース２０２の巻乱れを防止することができる。
【０１１０】
また、前記ドラム２１５へのホース２０２の巻取りをスムーズに行うことができ、ドラム２１５回動時の操作力を小さくすることができるとともに、巻取り作業を容易とすることができる。
【０１１１】
なお、本実施の形態にあっては、フレーム２１２の側部２１３間に架橋したガイドバー２２１を、Ｕ字状に形成されたパイプ材によって構成した場合を例に挙げて説明したが、これに限定されるものでは無く、例えば線材やワイヤやパイプやプラスチックで形成してドラム２１５に巻き取られるホース２０２を案内するガイド部を構成しても良い。
【０１１２】
また、本実施の形態にあっては、ガイドバー２２１と取っ手２１６とを連設バー２２２で連設した場合を例に挙げて説明したが、これに限定されるものでは無く、前記連設バー２２２は無くても良い。
【０１１３】
（第４の実施の形態）
【０１１４】
図１３は、第４の実施の形態を示す図であり、第３の実施の形態と同一又は同等の部分については、同符号を付して説明を割愛する。
【０１１５】
すなわち、このホースリール３０１も、ドラム２１５が露出するタイプであり、当該ホースリール３０１のフレーム２１２は、一本のパイプ材が屈曲されて形成されてなる。該フレーム２１２の下部には、コ字所の脚部２１４が形成されており、脚部２１４の両端部からは、起立部３０２，３０２が起立されている。各起立部３０２，３０２からは、前記脚部２１４上に折り返された折返し部３０３，３０３が形成されており、各折返し部３０３，３０３の中間部には、ドラム２１５を回動自在に支持する支持部３０４，３０４が設けられている。
【０１１６】
前記両折返し部３０３，３０３の先端部は、ガイド部３１１によって連設されており、該ガイド部３１１には、前記ドラム２１５に巻き取られるホースの移動経路上に設けられ、巻き取られるホースの移動方向と交差する方向に延在して、前記ホースの逃げを阻止する規制部２３１が設定されている。そして、この規制部２３１は、中央部が突出するアーチ状に形成されている。
【０１１７】
本実施の形態においても、第３の実施の形態と同様の効果を得ることができる。
【０１１８】
加えて、フレーム２１２を一本のパイプ材で構成することができるので、構成の簡素化及び低コスト化を図ることができる。
【０１１９】
なお、第３及び第４の実施の形態にあっては、規制部２３１がＵ字状に形成された場合を例に挙げて説明したが、これに限定されるものでは無い。
【０１２０】
（第５の実施の形態）
【０１２１】
すなわち、図１４の（ａ）に示すように、前記両折返し部３０３，３０３の先端部より上方へ向けて直線状に延出する縦部４０１，４０１と、各縦部４０１，４０１上端より内側へ向けて傾斜して延出する直線状の傾斜部４０２，４０２と、両傾斜部４０２，４０２を連設する直線状の連設部４０３とで形成しても良い。
【０１２２】
（第６の実施の形態）
【０１２３】
また、図１４の（ｂ）に示すように、前記両縦部４０１，４０１の基端を、直線状の横設部４１１で連設して下部の規制部を形成しても良い。
【０１２４】
（第７の実施の形態）
【０１２５】
さらに、図１４の（ｃ）に示すように、前記縦部４０１，４０１を廃止して前記傾斜部４０２，４０２を前記折返し部３０３，３０３に直接連設し、台形状の規制部２３１を構成しても良い。
【０１２６】
（第８の実施の形態）
【０１２７】
図１５は、第８の実施の形態を示す図であり、前述した第１の実施の形態と同一又は同等の部分については、同符号を付して説明を割愛する。
【０１２８】
すなわち、本体ケース１１を構成する上部容器１３の前面３１であって、ドラム１５に巻き取られるホース１４の移動経路上には、該ホース１４を案内するガイド部３２が設定されている。該ガイド部３２は、前記ホース１４が挿通する開口部としての出入口３３を備えてなり、該出入口３３の上側の開口縁は、前記ホース１４の上方への逃げを阻止する上方規制部３４を構成している。該上方規制部３４は、巻き取られる前記ホース１４の移動方向Ｉと交差する方向に延在しており（図１参照）、当該上方規制部３４は、中央部が上方へ向けて突出した台形状に形成されている。
【０１２９】
この上方規制部３４は、前記出入口３３の下縁が構成する下方規制部３６の両端に連設し、上方へ向かうに従って出入口３３の中央部側へ傾斜した傾斜部５０１，５０１と、両傾斜部５０１の上端を連設する水平部５０２とによって構成されており、水平方向に延在する前記下方規制部３６と前記各傾斜部５０１，５０１との傾斜角βは、４５度以上９０度未満の範囲内に設定されている。
【０１３０】
以上の構成において、ドラム１５を回動してホース１４を巻き取る際には、ホース１４がドラム１５の端部に集中することがある。しかし、ホース１４の移動経路上には、ホース１４を案内するガイド部３２が設けられており、該ガイド部３２に設定された上方規制部３４には、上方へ向かうに従って中央部側へ傾斜した傾斜部５０１，５０１が設定されている。
【０１３１】
このため、ドラム１５の端部に集中して巻き付けられたホース１４は、所定量積層された時点で、前記傾斜部５０１，５０１によって出入口３３中心側へ案内することができる。
【０１３２】
したがって、ホース１４がドラム１５の端部に集中して巻き取られるといった巻乱れを防止することができ、ホース巻取り状態での外観品質を高めることができるとともに、巻乱れによって生じ得る重心の偏りを防止することができる。
【０１３３】
このとき、この傾斜部５０１，５０１に当接したホース１４には、下方へ向けた垂直分力Ｆ１と水平方向への水平分力Ｆ２とが生じるが、当該傾斜部５０１の傾斜角βは、４５度以上９０度未満に設定されている。このため、水平分力Ｆ２が、垂直分力Ｆ１以上となり、所定量積層されたホース１４を中央部側へ案内する力を、ホース１４を下方へ押圧する力以上とすることができる。
【０１３４】
このため、所定量積層されたホース１４が上方から押し潰された状態の挟み込みを防止することができる。
【図面の簡単な説明】
【０１３５】
【図１】本発明の第１の実施の形態を示す斜視図である。
【図２】同実施の形態の側面図である。
【図３】図２のＡ−Ａ線に沿った断面図である。
【図４】同実施の形態の平面図である。
【図５】図４のＢ−Ｂ線に沿った断面図である。
【図６】同実施の形態の正面図である。
【図７】同実施の形態の底面図である。
【図８】図４のＣ−Ｃ断面に相当する図である。
【図９】同実施の形態の折り畳み状態を示す要部の断面図である。
【図１０】本発明の第２の実施の形態を示す斜視図である。
【図１１】本発明の第３の実施の形態を示す斜視図である。
【図１２】同実施の形態のホースを示す要部の断面図である。
【図１３】本発明の第４の実施の形態を示す図で、（ａ）は斜視図であり、（ｂ）は側面図である。
【図１４】（ａ）は本発明の第５の実施の形態を示す図で、（ｂ）は本発明の第６の実施の形態を示す図で、（ｃ）は本発明の第７の実施の形態を示す図である。
【図１５】本発明の第８の実施の形態を示す図である。
【符号の説明】
【０１３６】
１    ホースリール
１４    ホース
１５    ドラム
３２    ガイド部
３３    出入口（開口部）
３４    上方規制部
３６    下方規制部
３７    一般部
３８    厚肉部
１０１    コロ（回転部材）
２０１    ホースリール
２０２    ホース
２１２    フレーム
２１５    ドラム
２２１    ガイドバー
２３１    規制部
２６１    外周面
３０１    ホースリール
３１１    ガイド部
Ｉ    移動方向
Ｗ    幅寸法
【図１】
2004299905.tif 000003
【図２】
2004299905.tif 000004
【図３】
2004299905.tif 000005
【図４】
2004299905.tif 000006
【図５】
2004299905.tif 000007
【図６】
2004299905.tif 000008
【図７】
2004299905.tif 000009
【図８】
2004299905.tif 000010
【図９】
2004299905.tif 000011
【図１０】
2004299905.tif 000012
【図１１】
2004299905.tif 000013
【図１２】
2004299905.tif 000014
【図１３】
2004299905.tif 000015
【図１４】
2004299905.tif 000016
【図１５】
2004299905.tif 000017